(57)【要約】システム帯域幅の一部であるサブバンドを使用して、複数のサービススライスに対して信号を許可する方法およびシステムが提供される。ある場合には、所与のサービススライスに対する信号は、初期アクセスおよび継続中の通信用のチャネルはすべてサブバンド内に位置するという意味で、サブバンド内に自己完結する。所与のサービススライスにのみアクセスしている受信機は、サブバンドを受信することができればよい。本方法は、第１の論理周波数リソースで、第１のデータおよび第１のデータに関連する第１の信号伝達情報を送信するステップであり、第１の信号伝達情報は、第１のデータに関連する初期アクセス情報を含むステップと、第２の論理周波数リソースで、第２のデータに関連する信号伝達情報を送信するステップとを含み得る。
2019506083.tif 000002
【特許請求の範囲】
【請求項１】
第１の論理周波数リソースで第１のデータおよび前記第１のデータに関連する第１の信号伝達情報を送信するステップであり、前記第１の信号伝達情報は前記第１のデータに関連する初期アクセス情報を含むステップと、
第２の論理周波数リソースで第２のデータに関連する第２の信号伝達情報を送信するステップと
を含む方法。
【請求項２】
前記第１の論理周波数リソース上の送信は第１の副搬送波間隔を有する物理リソースを使用し、前記第２の論理周波数リソース上の送信は、前記第１の副搬送波間隔とは異なる第２の副搬送波間隔を有する物理リソースを使用する、請求項１に記載の方法。
【請求項３】
前記第１の論理周波数リソースは論理周波数サブバンドであり、前記第２の論理周波数リソースは論理周波数サブバンドである、請求項１または２に記載の方法。
【請求項４】
前記第２の論理周波数リソースで前記第２のデータおよび前記第２のデータに関連する前記第２の信号伝達情報を送信するステップであり、前記第２の信号伝達情報は前記第２のデータに関連する初期アクセス情報を含むステップをさらに含む、請求項３に記載の方法。
【請求項５】
前記第１の信号伝達情報は、放送、同期、およびＡＣＫ／ＮＡＣＫ信号伝達を含む、請求項１から４のいずれか一項に記載の方法。
【請求項６】
前記第１の信号伝達情報は、ランダムアクセス信号伝達を含む、請求項１から５のいずれか一項に記載の方法。
【請求項７】
前記第１の論理周波数リソース上の前記送信は、第１のマシンタイプの通信（ＭＴＣ）チャネルに対してのものであり、前記第２の論理周波数リソース上の前記送信は、第２のＭＴＣチャネルに対してのものである、請求項４から６のいずれか一項に記載の方法。
【請求項８】
前記第１の論理周波数リソース上の前記送信および前記第２の論理周波数リソース上の前記送信は送信機により実行される、請求項１から７のいずれか一項に記載の方法。
【請求項９】
前記第１の論理周波数リソース上の前記送信は、第１のサービスに関してのものであり、前記第２の論理周波数リソース上の前記送信は、第２のサービスに関してのものであり、
前記方法はさらに、
前記第１のサービスに対し、前記第１の論理周波数リソースを第１の物理周波数リソースにマッピングするステップと、
前記第２のサービスに対し、前記第２の論理周波数リソースを第２の物理周波数リソースにマッピングするステップとを含み、
前記マッピングのうちの少なくとも１つは、サービス固有の方法で実行される、請求項１から８のいずれか一項に記載の方法。
【請求項１０】
前記第１の物理周波数リソース上の送信は第１の副搬送波間隔を使用し、前記第２の物理周波数リソース上の送信は、前記第１の副搬送波間隔とは異なる第２の副搬送波間隔を使用する、請求項９に記載の方法。
【請求項１１】
前記第１のサービスは、マシンタイプの通信（ＭＴＣ）であり、前記第１の論理周波数リソースを第１の物理周波数リソースにマッピングするステップは、直接マッピングを実行するステップを含む、請求項９から１０のいずれか一項に記載の方法。
【請求項１２】
前記第１の論理周波数リソース上の前記送信は、第１のサービスに関してのものであり、前記第２の論理周波数リソース上の前記送信は、第２のサービスに関してのものであり、
前記方法はさらに、
前記第２のサービスに対し、デフォルトのフレーム構造を使用して初期アクセスを提供するステップを含み、
前記第２のサービスに対して初期アクセスが完了した後で、前記第２のサービスに関するさらなる通信は、前記第２の論理周波数リソース内で自己完結される、請求項１から１１のいずれか一項に記載の方法。
【請求項１３】
前記デフォルトのフレーム構造は、前記第２の論理周波数リソース内にある、請求項１２に記載の方法。
【請求項１４】
前記デフォルトのフレーム構造は、前記第２の論理周波数リソース外にある、請求項１２に記載の方法。
【請求項１５】
前記第１の論理周波数リソースはさらに、初期アクセス用に使用される１次論理周波数リソースと、２次論理周波数リソースに分割され、前記方法はさらに、
初期アクセス中に、初期アクセス以外の前記第１のサービスに関する通信に対して前記１次論理周波数リソースまたは前記２次論理周波数リソースを使用するかについての命令を送信するステップを含む、請求項５から１４のいずれか一項に記載の方法。
【請求項１６】
各論理周波数リソースに対して対応するハイパーセル識別子を使用するステップをさらに含む、請求項１から１５のいずれか一項に記載の方法。
【請求項１７】
サービスおよびデバイス機能に基づいて設定可能な方法でエアインタフェース構成の論理−物理周波数リソースへのマッピングを実行するステップをさらに含む、請求項１から１６のいずれか一項に記載の方法。
【請求項１８】
ユーザ機器における方法であって、
第１の周波数サブバンドを用いて初期システムアクセスを実行するステップと、
第２のサブバンドで継続中の通信のために使用するリソースの割り当てを受信するステップと、
前記第２のサブバンドを用いて継続中の通信を実行するステップと
を含む方法。
【請求項１９】
第１の論理周波数リソースで第１のデータおよび前記第１のデータに関連する第１の信号伝達情報を送信するように構成される第１の送信機であり、前記第１の信号伝達情報は前記第１のデータに関連する初期アクセス情報を含む第１の送信機と、
第２の論理周波数リソースで第２のデータに関連する第２の信号伝達情報を送信するように構成される第２の送信機と
を備える装置。
【請求項２０】
前記第１の論理周波数リソースは、論理周波数サブバンドであり、前記第２の論理周波数リソースは論理周波数サブバンドである、請求項１９に記載の装置。
【請求項２１】
前記第２の送信機は、前記第２の論理周波数リソースで前記第２のデータおよび第２のデータに関連する前記第２の信号伝達情報を送信し、前記第２の信号伝達情報は前記第２のデータに関連する初期アクセス情報を含む、請求項２０に記載の装置。
【請求項２２】
前記第１の信号伝達情報は、放送、同期、およびＡＣＫ／ＮＡＣＫ信号伝達を含む、請求項１９から２１のいずれか一項に記載の装置。
【請求項２３】
前記第１の信号伝達情報は、ランダムアクセス信号伝達を含む、請求項１９から２２のいずれか一項に記載の装置。
【請求項２４】
前記第１の論理周波数リソース上の前記送信は、第１のマシンタイプの通信（ＭＴＣ）チャネルに対するものであり、前記第２の論理周波数リソース上の前記送信は、第２のＭＴＣチャネルに対するものである、請求項２１から２３のいずれか一項に記載の装置。
【請求項２５】
前記第１の論理周波数リソース上の前記送信および前記第２の論理周波数リソース上の前記送信は送信機により実行される、請求項１９から２４のいずれか一項に記載の装置。
【請求項２６】
第１の論理周波数リソースで第１のデータおよび前記第１のデータに関連する第１の信号伝達情報を送信することにより第１のサービスを提供するように構成される送信機であり、前記第１の信号伝達情報は前記第１のデータに関連する初期アクセス情報を含む送信機を備え、
前記送信機はさらに、第２の論理周波数リソースで第２のデータに関連する第２の信号伝達情報を送信するように構成される、装置。
【請求項２７】
第２のサービスに対し、デフォルトのフレーム構造を使用して初期アクセスを提供し、
前記第２のサービスに対して初期アクセスが完了した後で、前記第２のサービスに関する継続中の通信を前記第２の論理周波数リソース内に提供するように構成される、請求項２６に記載の装置。
【請求項２８】
前記デフォルトのフレーム構造は、前記第２の論理周波数リソース内にある、請求項２７に記載の装置。
【請求項２９】
前記デフォルトのフレーム構造は、前記第２の論理周波数リソース外にある、請求項２７に記載の装置。
【請求項３０】
各論理周波数リソースに対して対応するハイパーセル識別子を使用するように構成される、請求項１９から２９のいずれか一項に記載の装置。
【発明の詳細な説明】
【技術分野】
【０００１】
［関連出願の参照］
本出願は、２０１６年２月４日に出願され、かつ「Ｓｉｇｎａｌｉｎｇ  ａｎｄ  Ｃｏｎｔｒｏｌ  Ｃｈａｎｎｅｌ  Ｓｔｒｕｃｔｕｒｅｓ  ｆｏｒ  Ｍｕｌｔｉｐｌｅ  Ｓｅｒｖｉｃｅｓ」と題する米国特許出願第１５／０１５，６４９号の優先権を主張し、その内容全体が、参照により本明細書に組み込まれるものとする。
【０００２】
本出願は、複数のサービスに対する信号伝達および制御チャネル構造に関する。
【背景技術】
【０００３】
単一のネットワーク内で利用可能な複数のサービスは、大幅に異なる帯域幅要件を有する場合がある。その例には、全体のシステム帯域幅内で比較的狭い帯域幅要件を有するマシンタイプの通信（ＭＴＣ）と、システム帯域幅内で比較的大きな帯域幅要件を有する拡張型モバイルブロードバンド（ｅＭＢＢ）が含まれる。
【０００４】
効率的な帯域幅を使用することが一般的に必要である。さらに、ＭＴＣデバイスは可能な限り低コストであることが望ましい。現在のロングタームエボリューション（ＬＴＥ）システムは、同じ帯域幅内の同じ信号伝達および制御チャネル構造で異なるサービスがサポートされる信号伝達および制御チャネル構造からなる。新規サービスの導入は、新規サービスの異なる帯域幅とカバレッジ要件に対応するのに十分な柔軟性を持ち得ない同じ構造によってのみサポートされることができる。
【発明の概要】
【０００５】
一実施形態によると、第１の論理周波数リソースで第１のデータおよび第１のデータに関連する第１の信号伝達情報を送信するステップであり、第１の信号伝達情報は第１のデータに関連する初期アクセス情報を含むステップと、第２の論理周波数リソースで第２のデータに関連する第２の信号伝達情報を送信するステップとを含む方法が提供される。
【０００６】
さらなる態様によると、前述の実施形態のいずれかにおいて、第１の論理周波数リソース上の送信は第１の副搬送波間隔を有する物理リソースを使用し、第２の論理周波数リソース上の送信は、第１の副搬送波間隔とは異なる第２の副搬送波間隔を有する物理リソースを使用する。
【０００７】
さらなる態様によると、前述の実施形態のいずれかにおいて、第１の論理周波数リソースは論理周波数サブバンドであり、第２の論理周波数リソースは論理周波数サブバンドである。
【０００８】
さらなる態様によると、前述の実施形態のいずれかにおいて、方法は、第２の論理周波数リソースで第２のデータおよび第２のデータに関連する第２の信号伝達情報を送信するステップであり、第２の信号伝達情報は第２のデータに関連する初期アクセス情報を含むステップをさらに含む。
【０００９】
さらなる態様によると、前述の実施形態のいずれかにおいて、第１の信号伝達情報は、放送、同期、およびＡＣＫ／ＮＡＣＫ信号伝達を含む。
【００１０】
さらなる態様によると、前述の実施形態のいずれかにおいて、第１の信号伝達情報は、ランダムアクセス信号伝達を含む。
【００１１】
さらなる態様によると、前述の実施形態のいずれかにおいて、第１の論理周波数リソース上の送信は、第１のマシンタイプの通信（ＭＴＣ）チャネルに対してのものであり、第２の論理周波数リソース上の送信は、第２のＭＴＣチャネルに対してのものである。
【００１２】
さらなる態様によると、前述の実施形態のいずれかにおいて、第１の論理周波数リソース上の送信および第２の論理周波数リソース上の送信は送信機により実行される。
【００１３】
さらなる態様によると、前述の実施形態のいずれかにおいて、第１の論理周波数リソース上の送信は、第１のサービスに関してのものであり、第２の論理周波数リソース上の送信は、第２のサービスに関してのものであり、方法はさらに、第１のサービスに対し、第１の論理周波数リソースを第１の物理周波数リソースにマッピングするステップと、第２のサービスに対し、第２の論理周波数リソースを第２の物理周波数リソースにマッピングするステップとを含み、マッピングのうちの少なくとも１つは、サービス固有の方法で実行される。
【００１４】
さらなる態様によると、前述の実施形態のいずれかにおいて、第１の物理周波数リソース上の送信は第１の副搬送波間隔を使用し、第２の物理周波数リソース上の送信は、第１の副搬送波間隔とは異なる第２の副搬送波間隔を使用する。
【００１５】
さらなる態様によると、前述の実施形態のいずれかにおいて、第１のサービスは、マシンタイプの通信（ＭＴＣ）であり、第１の論理周波数リソースを第１の物理周波数リソースにマッピングするステップは、直接マッピングを実行するステップを含む。
【００１６】
さらなる態様によると、前述の実施形態のいずれかにおいて、第１の論理周波数リソース上の送信は、第１のサービスに関してのものであり、第２の論理周波数リソース上の送信は、第２のサービスに関してのものであり、方法はさらに、第２のサービスに対し、デフォルトのフレーム構造を使用して初期アクセスを提供するステップを含み、第２のサービスに対して初期アクセスが完了した後で、第２のサービスに関するさらなる通信は、第２の論理周波数リソース内で自己完結される。
【００１７】
さらなる態様によると、前述の実施形態のいずれかにおいて、デフォルトのフレーム構造は、第２の論理周波数リソース内にある。
【００１８】
さらなる態様によると、前述の実施形態のいずれかにおいて、デフォルトのフレーム構造は、第２の論理周波数リソース外にある。
【００１９】
さらなる態様によると、前述の実施形態のいずれかにおいて、第１の論理周波数リソースはさらに、初期アクセス用に使用される１次論理周波数リソースと、２次論理周波数リソースに分割され、方法はさらに、初期アクセス中に、初期アクセス以外の第１のサービスに関する通信に対して１次論理周波数リソースまたは２次論理周波数リソースを使用するかについての命令を送信するステップを含む。
【００２０】
さらなる態様によると、前述の実施形態のいずれかにおいて、方法は、各論理周波数リソースに対して対応するハイパーセル識別子を使用するステップをさらに含む。
【００２１】
さらなる態様によると、前述の実施形態のいずれかにおいて、方法は、サービスおよびデバイス機能に基づいて設定可能な方法でエアインタフェース構成の論理−物理周波数リソースへのマッピングを実行するステップをさらに含む。
【００２２】
本発明の別の態様によると、ユーザ機器における方法であって、第１の周波数サブバンドを用いて初期システムアクセスを実行するステップと、第２のサブバンドで継続中の通信のために使用するリソースの割り当てを受信するステップと、第２のサブバンドを用いて継続中の通信を実行するステップとを含む方法が提供される。
【００２３】
本発明のさらなる態様によると、第１の論理周波数リソースで第１のデータおよび第１のデータに関連する第１の信号伝達情報を送信するように構成される第１の送信機であり、第１の信号伝達情報は第１のデータに関連する初期アクセス情報を含む第１の送信機と、第２の論理周波数リソースで第２のデータに関連する第２の信号伝達情報を送信するように構成される第２の送信機とを備える装置が提供される。
【００２４】
さらなる態様によると、前述の実施形態のいずれかにおいて、第１の論理周波数リソースは、論理周波数サブバンドであり、第２の論理周波数リソースは論理周波数サブバンドである。
【００２５】
さらなる態様によると、前述の実施形態のいずれかにおいて、第２の送信機は、第２の論理周波数リソースで第２のデータおよび第２のデータに関連する第２の信号伝達情報を送信し、第２の信号伝達情報は第２のデータに関連する初期アクセス情報を含む。
【００２６】
さらなる態様によると、前述の実施形態のいずれかにおいて、第１の信号伝達情報は、放送、同期、およびＡＣＫ／ＮＡＣＫ信号伝達を含む。
【００２７】
さらなる態様によると、前述の実施形態のいずれかにおいて、第１の信号伝達情報は、ランダムアクセス信号伝達を含む。
【００２８】
さらなる態様によると、前述の実施形態のいずれかにおいて、第１の論理周波数リソース上の送信は、第１のマシンタイプの通信（ＭＴＣ）チャネルに対するものであり、第２の論理周波数リソース上の送信は、第２のＭＴＣチャネルに対するものである。
【００２９】
さらなる態様によると、前述の実施形態のいずれかにおいて、第１の論理周波数リソース上の送信および第２の論理周波数リソース上の送信は送信機により実行される。
【００３０】
本発明のさらに別の態様によると、第１の論理周波数リソースで第１のデータおよび第１のデータに関連する第１の信号伝達情報を送信することにより第１のサービスを提供するように構成される送信機であり、第１の信号伝達情報は第１のデータに関連する初期アクセス情報を含む送信機を備え、送信機はさらに、第２の論理周波数リソースで第２のデータに関連する第２の信号伝達情報を送信するように構成される、装置が提供される。
【００３１】
さらなる態様によると、前述の実施形態のいずれかにおいて、装置は、第２のサービスに対し、デフォルトのフレーム構造を使用して初期アクセスを提供し、第２のサービスに対して初期アクセスが完了した後で、第２のサービスに関する継続中の通信を第２の論理周波数リソース内に提供するように構成される。
【００３２】
さらなる態様によると、前述の実施形態のいずれかにおいて、デフォルトのフレーム構造は、第２の論理周波数リソース内にある。
【００３３】
さらなる態様によると、前述の実施形態のいずれかにおいて、デフォルトのフレーム構造は、第２の論理周波数リソース外にある。
【００３４】
さらなる態様によると、前述の実施形態のいずれかにおいて、装置は、各論理周波数リソースに対して対応するハイパーセル識別子を使用するように構成される
【図面の簡単な説明】
【００３５】
ここで、本開示の実施形態は、添付図面を参照して説明する。
【００３６】
【図１】図１は、複数のサービスに対するリソースの割り当てを示す時間周波数リソース割り当て図の例である。
【図２Ａ】図２Ａは、異なるサービスに対する異なるハイパーセルＩＤを示すシステム図である。
【図２Ｂ】図２Ｂは、異なるサービスを提供する単一のハイパーセルＩＤを示すシステム図である。
【図３Ａ】図３Ａは、論理パーティショニングおよびサービス依存のマッピングの例である。
【図３Ｂ】図３Ｂは、論理パーティショニングおよびサービス依存のマッピングの別の例である。
【図４】図４は、狭いサブバンド内のデフォルトのフレーム構造およびＭＴＣフレーム構造の共存の例である。
【図５】図５は、デフォルトのフレーム構造および隣接する自己完結型のＭＴＣフレーム構造の例である。
【図６Ａ】図６Ａは、複数のサービススライスを送信する送信機のブロック図である。
【図６Ｂ】図６Ｂは、サービススライスを受信する受信機のブロック図である。
【発明を実施するための形態】
【００３７】
ソフトウエア設定可能なエアインタフェース（ＳｏｆｔＡＩ）は、多様なサービスおよびデバイス機能に対応するために提案されている。例えば、「Ｓｙｓｔｅｍ  ａｎｄ  Ｍｅｔｈｏｄ  ｆｏｒ  Ｄｙｎａｍｉｃａｌｌｙ  Ｃｏｎｆｉｇｕｒａｂｌｅ  Ａｉｒ  Ｉｎｔｅｒｆａｃｅ」と題され、その全体が、参照により本明細書に組み込まれるものとする、米国特許出願第２０１４００１６５７０号を参照されたい。デフォルトのフレーム構造は、ユーザ機器（ＵＥ）の初期アクセスを容易にし、かつＵＥに他のサブバンドにおいてフレーム構造設定を使用するように指示するために定義されてもよい。デフォルトのフレーム構造は、様々なサービスへの初期アクセスのために使用されてもよく、サービス特有である必要はない。そのような状況では、ＵＥは、デフォルトのフレーム構造を含むサブバンドと、指示されたフレーム構造を含むサブバンドの両方を受信することができる必要がある。
【００３８】
ＭＴＣデバイスは、低コストのデバイスであることが望ましく、これらのデバイスが狭帯域の送信および受信のみをサポートすることを必要とし得る。非常に広いシステム帯域幅（例えば、１００ＭＨｚ）の場合、デフォルトのフレーム構造（制御信号伝達用）とマシンタイプ通信（データ交換用）の複数のサブバンドを同時にサポートする低コストのＭＴＣデバイスの作成は実現し得ない。
【００３９】
いくつかの実施形態では、システム帯域幅は、各サービスに対してそれぞれのサブバンドで構成される。サービスの少なくとも１つについては、信号伝達およびデータチャネルの自己完結型のセットが構成されたサブバンド内で定義され得、そのサービスを取得するＵＥは、システム帯域幅全体ではなく、構成されたサブバンドを監視するだけでよい。
【００４０】
ここで図１を参照すると、例えば、２０ＭＨｚ以上のシステム帯域幅が第１のサブバンド１００と第２のサブバンド１０１とに分割される第１の例が示されている。システム帯域幅は、同じ搬送波周波数で動作するシステムに関連する帯域幅である。より多くのサブバンドが存在し得る。異なるヌメロロジーおよび／またはチャネル化が２つのサブバンド内で用いてもよい。例えば、共通譲渡され、同時係属であり、「Ｓｙｓｔｅｍ  ａｎｄ  Ｓｃｈｅｍｅ  ｏｆ  Ｓｃａｌａｂｌｅ  ＯＦＤＭ  Ｎｕｍｅｒｏｌｏｇｙ」と題する、Ｌｉｑｉｎｇ  Ｚｈａｎｇらに対する米国仮特許出願第６２／１６９，３４２号、「Ｒｅｓｏｕｒｃｅ  Ｂｌｏｃｋ  Ｃｈａｎｎｅｌｉｚａｔｉｏｎ  ｆｏｒ  ＯＦＤＭ−ｂａｓｅｄ  Ｎｕｍｅｒｏｌｏｇｉｅｓ」と題する米国出願第１４／９４２，９８３号、および「Ｓｙｓｔｅｍ  ａｎｄ  Ｍｅｔｈｏｄ  ｆｏｒ  Ｂａｎｄｗｉｄｔｈ  Ｄｉｖｉｓｉｏｎ  ａｎｄ  Ｒｅｓｏｕｒｃｅ  Ｂｌｏｃｋ  Ａｌｌｏｃａｔｉｏｎ」と題する米国出願第１５／００６，７７２であり、参照によりここにその全体が組み込まれているものとするこれらの出願を参照されたい。
【００４１】
各サービススライスは、各サブバンド１００、１０１内に実装される。この例では、ｅＭＢＢサービスがサブバンド１００内に実装され、ＭＴＣサービスがサブバンド１０１内に実装されるが、より一般的には、いくつかの実施形態では、２つ以上の異なるサービスが２つ以上の対応するサブバンド内に設けられている。サブバンド位置、フレーム構造設定、および帯域幅は、サービススライスごとにあらかじめ定義されることができる。図示の例では、送信リソースはダウンリンク送信用である。より一般的には、本明細書に記載の方法およびシステムは、アプリケーションに応じて、ダウンリンクまたはアップリンク、もしくはダウンリンクおよびアップリンクの両方に適用されることができる。サブバンド１００およびサブバンド１０１などの複数のサブバンド上のダウンリンク送信は、同一のまたは異なるネットワーク要素からであってもよい。
【００４２】
第１のサブバンド１００は、データ用の送信リソース、およびデータに関連する信号伝達情報を含むエアインタフェース構成に割り当てられる。図示された例では、データおよびシグナリング情報は、ｅＭＢＢであり得る第１のサービスに関連付けられる。初期アクセスのためのデフォルトのフレーム構造１０９は、サブバンド１００内で定義される。
【００４３】
デフォルトのフレーム構造１０９は、デフォルトの同期チャネル１０６と、デフォルトの放送チャネル１０８とを含む。デフォルトのフレーム構造は、継続的に、例えば、１０ミリ秒毎に繰り返される。より一般的には、別々に割り当てられたリソースおよび／または周期性を有するデフォルトの構造が提供されてもよい。デフォルトのフレーム構造はまた、ランダムアクセスチャネル（図示せず）を含むことができる。初期アクセスに必要なチャネルは、デフォルトのフレーム構造に含まれる。図示の例では、これらは、直交周波数分割多重（ＯＦＤＭ）シンボルおよびフレームのタイミングを得るためのデフォルトの同期チャネル１０６と、基本システム情報を搬送するデフォルトの放送チャネル１０８とを含む。デフォルトのフレーム構造内の残スペースは、データを搬送するために使用されることができる。
【００４４】
初期アクセスに必要でない他のチャネルは、デフォルトのフレーム構造１０９の内部になくてもよい。図示の例では、そのような追加チャネルは、部分的にデフォルトのフレーム構造１０９内にあり、部分的にデフォルトのフレーム構造１０９の外側にあるｅＭＭＢ１０４のための制御チャネルと、肯定応答／否定応答（ＡＣＫ／ＮＡＣＫ）チャネル１１０とを含む。
【００４５】
動作において、デフォルトのフレーム構造１０９では、ｅＭＢＢサービスのための初期アクセスは、デフォルトのフレーム構造によって提供されるチャネルを使用して実行することができる。デフォルトのフレーム構造は、継続中の通信にどのリソースを使用するかをＵＥに通知するために使用されることもできる。ｅＭＢＢの場合、これは、サブバンド１００内のリソースを割り当てることを含むことになろう。
【００４６】
第２のサブバンド１０１は、データ用の送信リソースとＭＴＣ用の信号伝達情報とを含む無線インタフェース構成に割り当てられる。ＭＴＣ同期チャネル１１１およびＭＴＣ放送チャネル１１２を含む初期アクセスのためのリソースを含むフレーム構造１２０が示されている。ＭＴＣに対する同期化は、例えば、１００ｍｓ毎に実行されてもよい。フレーム構造１２０はまた、ＭＴＣ、ＡＣＫ／ＮＡＣＫチャネル１１４、およびＭＴＣ制御チャネル１１６を含む継続中の通信のための他のリソースも含む。いくつかの実施形態では、サブバンド１０１は、所与のシステム帯域幅のエッジに位置する。
【００４７】
サブバンド１０１内では、ＭＴＣ同期チャネル１１１および放送チャネル１１２は、デフォルトのフレーム構造１０９とは異なるＭＴＣフレーム構造に従って定義されてもよい。チャネル１１１および１１２は、チャネル１０６と１０８とは異なる周期性および／または異なるマッピング（例えば、長期にわたってマッピングされた）を有し得る。例えば、ＭＴＣ同期チャネル１１１は、ＭＴＣデバイスの低い移動性のために、デフォルトの同期チャネル１０６よりも長い周期性を有し得る。ＭＴＣ放送チャネル１１２は、システム情報の変化が少ないため、デフォルトの放送チャネル１０８よりも長い周期性を有し得る。動作において、ＭＴＣ  ＵＥは、同期およびシステム情報に対する事前定義されたＭＴＣフレーム構造設定に同調する。
【００４８】
上記の例では、異なるサービスがサブバンド１００、１０１のそれぞれの中に実装されている。別の実施形態では、同じサービスが２つ以上のサブバンドのそれぞれ内で実装され、サブバンドの各々は、初期アクセスに必要なものと、継続中の通信に必要なものの両方を含む、そのサブバンドにおけるエンドツーエンド通信に必要なすべてのリソースを含む。特定の実施形態では、隣接していてもいなくてもよい２つのサブバンドのそれぞれにおいてＭＴＣサービスが提供される。これは、１つのサブバンド内に収まらない大量のＭＴＣトラフィックが存在する状況に適している。それぞれ初期アクセスと継続中の通信の両方にリソースを提供する２つのサブバンドを提供することにより、ＵＥは、初期アクセスに対する帯域外制御チャネルに依存する必要はない。いくつかの実施形態では、所与のサービスを提供する２つのサブバンド、例えば、ＭＴＣ、があり、所与のＵＥに割り当てられたサブバンドは予め定義されてもよい。別の例を再び図１を参照して説明する。この例では、システム帯域幅は、前の例で説明したのと同じ第１のサービスに対するサブバンド１０１と、第２のサービスに対するサブバンド１０３とに分割される。サブバンド１０３は、前の例で説明したのと同じサブバンド１００と、別のサブバンド１０２にさらに細分される。２つのサブバンド１００、１０２は、例えば、同じサービス、例えば、ｅＭＢＢに対して２つの異なるヌメロロジーオプションをサポートするために使用されてもよい。別の例では、２つのサブバンド１００、１０２は、２つの異なるサービス、例えば、ｅＭＢＢサービスおよび放送サービスに対して２つの異なるヌメロロジーオプションをサポートするために使用されてもよい。２つのサブバンド１００、１０２は、共通の制御チャネルを共有することができる。例えば、制御チャネル１０４は、サブバンド１００および１０２に対するリソース割り当てなどの制御情報を提供するために使用されることができる。サブバンド１００および１０２などの、単一のサービスに対して複数のサブバンドが提供されるいくつかの実施形態では、デフォルトのフレーム構造は、サービスに対して提供される複数のサブバンド内の継続中の通信にどのリソースを使用するかをユーザに通知するために使用されることができる。例えば、サブバンド１００上のデフォルトのフレーム構造１０９を使用して初期アクセスを実行するＵＥは、継続中の通信に対するサブバンド１００またはサブバンド１０２内のリソースについて通知され、またはそれを使用するように指示されることができる。このシナリオにおけるＵＥは、サブバンド１０３を受信および復号することができる必要があることに留意されたい。ＵＥが継続中の通信に対して初期アクセスに使用されたものとは異なるサブバンドを使用するように指示されるいくつかの実施形態では、後続のアクセスに対して異なるサブバンドも使用する。いくつかの実施形態では、サブバンド１００、１０１、１０２のサイズは、ネットワークによって時間の経過に伴い調整されることができる。この調整は、システムの利用可能な帯域幅、異なるサブバンド上の異なるサービスのトラフィック負荷、および／または異なるサブバンド上でサポートされるＵＥの数に基づくことができる。さらに、信号伝達および制御チャネル構造は、サブバンド帯域幅を変化させる場合に異なってもよい。
【００４９】
いくつかの実施形態では、チャネル構造は、異なるサービスの異なるカバレッジ要件をサポートするように実装される。例えば、ｅＭＢＢ制御チャネルは、ＭＴＣ制御チャネルとは異なるカバレッジ要件を有してもよい。例えば、ＭＴＣ制御チャネルは、地下の機器に到達することが必要なことも、デバイスの移動性に対応する必要がないこともあり得る。
【００５０】
各ＵＥは、特定のサブバンド内の受信信号を処理する役割を担う。ネットワークの観点からは、サブバンドは必ずしも特定のサービス専用ではない。必要なすべてのチャネルが考慮された後に残されたリソースは、他の目的に割り当てられることができる。
【００５１】
いくつかの実施形態では、異なるサービスのデータチャネルおよび制御チャネルは、異なるハイパーセルＩＤによってカバーされてもよい。システム帯域幅が、例えば、ｅＭＢＢのような第１のサービススライス（サービススライス＃１）用の第１のサブバンド２００と、例えば、ＭＴＣのような第２のサービススライス（サービススライス＃２）用の第２のサブバンド２０２とに分割される例が図２Ａに示されている。第１のハイパーセル（ハイパーセル＃１、より一般的には第１の論理エンティティ）２０４は、第１のサービススライス上で動作するネットワーク要素２０６、２０８、２１０、２１２、２１４、２１６から構成され、第２のハイパーセル（ハイパーセル＃２、より一般的には第２の論理エンティティ）２１８は、第２のサービススライス上で動作する要素２１４、２２０、２２２から構成される。ネットワーク要素は、例えば、ネットワークコントローラに接続された基地局、アクセスポイント、またはリモート無線ヘッド（ＲＲＨ）とすることができる。ネットワーク要素２１４は、両方のサービススライス上で動作していることが分かる。この場合、ネットワーク要素２１４の送信機は、サービススライス＃１  ２００およびサービススライス＃２  ２０２の両方に対する信号伝達情報を送信する。ネットワーク要素２０６、２０８、２１０、２１２、２１６は、サービススライス＃１  ２００に対する信号伝達情報を送信する。ネットワーク要素２２０、２２２は、サービススライス＃２  ２０２に対する信号伝達情報を送信する。図２Ｂは、サービススライス＃１とサービススライス＃２の両方が単一のハイパーセル２３０によって提供される別の例を示す。
【００５２】
いくつかの実施形態では、論理−物理周波数パーティションマッピングは、サービスシナリオおよびデバイス機能に基づいて設定可能である。例えば、低コストのＭＴＣサービスなどの第１のサービスは、物理的に限定されたサブバンド内に直接的な論理−物理マッピングを有してもよく、ｅＭＢＢなどの第２のサービスは、論理リソースを物理リソースにマッピングするためにホッピングパターンを使用してもよい。
【００５３】
図３Ａには３００において２つのサービススライスに対する論理パーティショニングが示される一例が示されている。図３の左側の周波数軸は、論理周波数リソースを表す。パーティション３０２は第１のサービススライスに割り当てられ、パーティション３０４は第２のサービススライスに割り当てられる。ホッピングパターンを使用してパーティション３０２が３０５でリソース３０６にマッピングされ、パーティション３０４が制限されたサブバンド３０８に直接マッピングされるように、サービス依存マッピングが採用される。２つのマッピング３０５、３０７は、論理周波数のブロックを物理リソースにマッピングするための２つの異なるマッピングオプションを示す。別の例が、サブバンド３１０に対する物理リソース３２０への直接マッピング３１４と、サブバンド３１２に対するホッピングパターンを使用した物理リソース３２０へのマッピング３１４との組み合わせを示す図３Ｂに示されている。
【００５４】
別の例が、システム全体の帯域幅のサブバンド４００内に定義されるデフォルトのフレーム構造を示す図４に示されている。この例では、ＭＴＣのフレーム構造４０４は、時分割多重（ＴＤＭ）式でデフォルトのフレーム構造４０２と同じサブバンド内で発生する。有益なことに、このような構造では、ＭＴＣデバイスは、デフォルトのフレーム構造を使用して初期アクセスを実行し、ＭＴＣフレーム構造との継続中の通信を実行し、２つのサブバンドを監視するだけでよい。これは、サブバンド間でホッピングする能力を必要としない、より低コストのＭＴＣデバイスを構築することを可能にする。
【００５５】
別の例が図５に示されている。この例では、予め定義されたデフォルトフレーム構造５０４を含む第１のサブバンド５００がある。ＭＴＣ用の自己完結型のフレーム構造５０６であり、例えば、ＭＴＣ用に構成されたＭＴＣ同期および放送チャネルを含む第２のサブバンド５０２がある。動作において、ＵＥは、ＭＴＣ構成（例えば、マシンタイプのサービスに対するサブバンド）の初期同期およびシステム情報用の、あらかじめ定義されたデフォルトのフレーム構造５０４に同調する。これは、システムへの初期アクセスまたはＭＴＣサブバンド位置の変更の場合のみに対する。この例では、２つのサブバンド５００、５０２は、ＵＥが広い帯域幅をサポートする必要がないような物理帯域幅（図示せず）に集合的に限定される。
【００５６】
後続のネットワークエントリでは、ＵＥは、ＭＴＣサブバンド５０２において直ちに初期アクセスを実行する。ＭＴＣ同期および関連システム情報は、マシンタイプのサービスに対するサブバンドで搬送され、したがって、サブバンド５０２はＭＴＣ操作に対し自己完結されている。
【００５７】
ＭＴＣデバイスの受信能力を最小限にすることが望ましい実施形態では、自己完結型のＭＴＣフレーム構造は、周波数においてデフォルトのフレーム構造に近接して配置される。
【００５８】
ＭＴＣ  ＵＥの初期アクセスの例示的な方法では、ＭＴＣ  ＵＥは、サポートされる帯域内の潜在的搬送波周波数（無線周波数（ＲＦ）チャネル）を探索する。各搬送波周波数は、例えば、Ｅ−ＵＴＲＡ絶対無線周波数チャネル番号（ＥＡＲＦＣＮ）によって識別され得る。各帯域のキャリア周波数の数は、スペクトル帯域内のフルセットから縮小されたセットであってもよい。各潜在的搬送波周波数について、ＭＴＣ  ＵＥは、同期チャネルを検出することによって同期を獲得しようとする。いくつかの実施形態では、ＭＴＣ  ＵＥは、ＭＴＣ固有の同期チャネルおよび通常の同期チャネルを試行する。
【００５９】
ここで図６Ａを参照すると、自己完結的な方法で１つまたは複数のサービスに対するチャネルを送信するために使用されることができる送信機の一部の例示的な簡略ブロック図が示されている。この例では、それぞれがＬ＞＝２である対応するヌメロロジーを有するＬ個のサービスがあるが、より一般的には、各サービスに対して異なるヌメロロジーを使用する必要はない。
【００６０】
各サービスについて、それぞれの送信チェーン６００、６０２が存在する。図６Ａは、第１および第Ｌのヌメロロジーのための単純化された機能を示し、他のヌメロロジーのための機能も同様である。異なるサービスの送信が異なるネットワーク要素からのものである場合、送信チェーン６００は第１のネットワーク要素にあり、送信チェーン６０２は第２のネットワーク要素にある。また、図６Ｂには、第１のヌメロロジーを使用して動作する受信機のための受信チェーン６０３の簡略化された機能性が示されている。
【００６１】
第１のヌメロロジーのための送信チェーン６００は、コンステレーションマッピング部６１０、副搬送波マッピング部／グルーピング部６１１、副搬送波間隔ＳＣ１を有するＩＦＦＴ６１２、パイロットシンボル（Ｐ／Ｓ）およびサイクリックプレフィックス挿入部６１４、およびスペクトル整形フィルタ６１６を含む。動作において、コンステレーションマッピング部６１０は、Ｋ1個のＵＥについてのデータおよび／または信号伝達６１８を含むユーザコンテンツを受信する（Ｋ1＞＝１）。サブバンド内の自己完結型データおよび信号伝達の場合、サービスに関する初期アクセス情報を含む信号伝達情報がユーザコンテンツ６１８の一部として含まれる。第１の論理周波数リソース内で初期アクセスが実行される場合、送信チェーン６００のユーザコンテンツ６１８は、初期アクセスのための信号伝達情報を含み、別の送信チェーンのユーザコンテンツは、継続中の通信のためのコンテンツ（例えば、送信チェーン６０２のユーザコンテンツ６３０）を含む。
【００６２】
コンステレーションマッピング部６１０は、第１のサービスに対するデータおよびシグナリング情報をコンステレーションシンボルのそれぞれのストリームにマッピングし、コンステレーションシンボル６２０のストリームを出力する。シンボル当たりのビット数は、コンステレーションマッピング部６１０によって使用される特定のコンスタレーションに依存する。４直交振幅変調（４−ＱＡＭ）の例では、各ユーザに対する２ビットがそれぞれのＱＡＭシンボルにマッピングされる。
【００６３】
副搬送波マッピング部／グルーピング部６１１は、各ＯＦＤＭシンボル期間について、コンステレーションマッピング部６１０によって生成されたコンステレーションシンボルをグループ化し、６２２でＩＦＦＴ６１２のＰ個までの入力にマッピングする。グルーピングおよびマッピングは、規定されたリソースブロック定義および送信チェーン６００で処理されているＫ1個のＵＥのコンテンツに対する割り当てに従い、スケジューラ情報に基づいて実行されるが、このスケジューラ情報は、チャネル化およびリソースブロック割り当てに基づいている。Ｐは、ＩＦＦＴ６１２のサイズである。Ｐ個の入力のすべてが必ずしも各ＯＦＤＭシンボル期間に使用されるわけではない。ＩＦＦＴ６１２は、最大でＰ個のシンボルを受信し、６２４でＰ個の時間領域サンプルを出力する。これに続いて、いくつかの実装では、時間領域パイロットシンボルが挿入され、サイクリックプレフィックスがブロック６１４で追加される。スペクトル整形フィルタ６１６は、送信チェーン６０２などの他の送信チェーンの出力との干渉を緩和するために、送信チェーン６００の出力でのスペクトルを制限するフィルタｆ1（ｎ）を適用する。スペクトル整形フィルタ６１６はまた、各サブバンドをその割り当てられた周波数位置へシフトすることも実行する。
【００６４】
送信チェーン６０２のような他の送信チェーンの機能は同様である。全ての送信チェーンの出力は、チャネル上での送信前に結合器６０４において結合される。
【００６５】
図６Ｂは、６０３に示す第１のヌメロロジーで動作するＵＥに対する受信チェーンの簡略ブロック図を示す。いくつかの実施形態では、既定のユーザ機器は、１つのサービス（例えば、ＭＴＣ）のみをサポートし、特定のヌメロロジーで動作するように恒久的に構成されている。いくつかの実施形態では、特定のＵＥは設定可能なヌメロロジーで動作する。受信チェーン６０３は、スペクトル整形フィルタ６３０、サイクリックプレフィックス除去器およびパイロットシンボルプロセッサ６３２、高速フーリエ変換（ＦＦＴ）６３４、副搬送波デマッピング部６３６および等化器６３８を含む。受信チェーンの各要素は、送信チェーンで実行されたものに対応する逆動作を実行する。別のヌメロロジーで動作するＵＥの受信チェーンも同様である。
【００６６】
いくつかの実施形態では、システム帯域幅は、各サービスに対するそれぞれのサブバンドで構成され、少なくとも１つのサブバンドが、将来の使用のために予約される。信号伝達およびデータチャネルの自己完結型のセットは、既存のサブバンドとは完全に独立し、かつ既存のサブバンドを妨害することなく、予約されたサブバンド内に定義することができる。これは、ある程度の将来のプルーフィングを提供する。
【００６７】
いくつかの実施形態では、上述したように、複数の異なるヌメロロジーが使用される。これらはサブバンドにわたって異なり、各サービススライスには異なる数量が使用される。いくつかの実施形態では、複数のヌメロロジーが１つのサービスに使用される。異なるヌメロロジーの使用の点から柔軟なフレーム構造が提案されている。ヌメロロジーは、副搬送波間隔およびＯＦＤＭシンボル持続時間に関して定義され、逆高速フーリエ変換（ＩＦＦＴ）長さ、送信時間間隔（ＴＴＩ）長さ、およびサイクリックプレフィックス（ＣＰ）長さまたは期間などの他のパラメータによって定義されてもよい。これらのヌメロロジーは、副搬送波間隔が異なるヌメロロジー間のように互いの倍数であり、ＴＴＩ長さも異なるヌメロロジー間のように互いの倍数であるという意味でスケーラブルである。複数のヌメロロジーにわたるこのようなスケーラブルな設計は、実装利益、例えば、時分割二重（ＴＤＤ）コンテキストにおけるスケーラブルな全てのＯＦＤＭシンボル期間を提供する。本出願人の同時係属中の、「Ｓｙｓｔｅｍ  ａｎｄ  Ｓｃｈｅｍｅ  ｏｆ  Ｓｃａｌａｂｌｅ  ＯＦＤＭ  Ｎｕｍｅｒｏｌｏｇｙ」と題し、参照によりここにその全体が組み込まれているものとするＬｉｑｉｎｇ  Ｚｈａｎｇらに対する米国仮出願第６２／１６９，３４２号も参照されたい。
【００６８】
以下の表１は、「フレーム構造」下の４列にスケーラブルなヌメロロジーを有する柔軟なフレーム構造設計の例を含む。フレームは、４つのスケーラブルなヌメロロジーの１つまたは組み合わせを使用して構築できる。比較のために、表の右側の列には、従来の固定ＬＴＥヌメロロジーが示されている。表１において、各ヌメロロジーは、第１の数のＯＦＤＭシンボルに対して第１のサイクリックプレフィックス長を使用し、第２の数のＯＦＤＭシンボルに対して第２のサイクリックプレフィックス長を使用する。例えば、「フレーム構造」の第１列では、ＴＴＩは、サイクリックプレフィックス長が１．０４μsの３つのシンボルと、サイクリックプレフィックス長が１．３μsの４つのシンボルとを含む。
【００６９】
第１の列は、６０ｋＨｚの副搬送波間隔でのヌメロロジーに対応し、これは最短のＯＦＤＭシンボル持続時間も有する。これは、Ｖｅｈｉｃｌｅ−ｔｏ−Ａｎｙ（Ｖ２Ｘ）通信や、より一般的には工業用制御アプリケーションなどの超低遅延通信に適している。第２の列は、３０ｋＨｚの副搬送波間隔でのヌメロロジーに対応している。第３の列は、１５ｋＨｚの副搬送波間隔でのヌメロロジーに対応している。このヌメロロジーは、ＴＴＩに７つのシンボルしか存在しないことを除いて、ＬＴＥと同じ構成を有する。これは、ブロードバンドサービスに適し得る。第４の列は、７．５ｋＨｚの副搬送波間隔でのヌメロロジーに対応し、４つのヌメロロジーの中で最も長いＯＦＤＭシンボル持続時間も有する。これは、カバレッジの向上と放送に役立ち得る。列挙された４つのヌメロロジーのうち３０ｋＨｚと６０ｋＨｚの副搬送波間隔を有するものは、副搬送波間隔がより広いため、ドップラー拡散（高速移動条件）に対してより堅固である。
【００７０】
【表１】
2019506083.tif 000003
【００７１】
表１の例の特定のヌメロロジーは説明のためのものであり、他のヌメロロジーを組み合わせた柔軟なフレーム構造を代わりに用いることができることを理解されたい。
【００７２】
ＯＦＤＭベースの信号は、複数のヌメロロジーが同時に存在する信号を送信するために使用されることができる。より具体的には、複数のサブバンドＯＦＤＭ信号は、それぞれ異なるサブバンド内に並行して生成することができ、各サブバンドは異なる副搬送波間隔（より一般的には、異なるヌメロロジーを有する）を有する。複数のサブバンド信号は、送信用の、例えば、ダウンリンク送信用の単一の信号に結合される。あるいは、複数のサブバンド信号は、例えば、複数のＵＥからのアップリンク送信用に、別々の送信機から送信されてもよい。特定の例では、フィルタリングされたＯＦＤＭ（ｆ−ＯＦＤＭ）が採用され得る。ｆ−ＯＦＤＭの場合、各サブバンドＯＦＤＭ信号のスペクトルを整形するためにフィルタリングが用いられ、その後、サブバンドＯＦＤＭ信号は、送信用に結合される。ｆ−ＯＦＤＭは、帯域外放射を低減し、送信を改善し、異なる副搬送波間隔の使用の結果として導入される非直交性に対処する。
【００７３】
いくつかの実施形態では、リソースブロック定義は設定可能である。例えば、リソースブロック当たりのトーンの数は、時間および／またはシステム帯域幅にわたって変化されることができる。例えば、本出願人の同時係属中であり，２０１５年１１月２６日に出願された、「Ｒｅｓｏｕｒｃｅ  Ｂｌｏｃｋ  Ｃｈａｎｎｅｌｉｚａｔｉｏｎ  ｆｏｒ  ＯＦＤＭ−ｂａｓｅｄ  Ｎｕｍｅｒｏｌｏｇｉｅｓ」と題し、参照によりここにその全体が組み込まれているものとする米国出願第１４／９５２９８３号を参照されたい。
【００７４】
上記の教示に鑑みて、本開示の多数の変更および変形が可能である。したがって、添付の特許請求の範囲内において、本開示は、本明細書に具体的に記載されるものとは別の方法で実施され得ることを理解されたい。
【図１】
2019506083.tif 000004
【図２Ａ】
2019506083.tif 000005
【図２Ｂ】
2019506083.tif 000006
【図３Ａ】
2019506083.tif 000007
【図３Ｂ】
2019506083.tif 000008
【図４】
2019506083.tif 000009
【図５】
2019506083.tif 000010
【図６Ａ】
2019506083.tif 000011
【図６Ｂ】
2019506083.tif 000012
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
第１のフレーム構造を有する第１の論理周波数リソースで第１のデータおよび前記第１のデータに関連する第１の信号伝達情報を送信するステップであり、前記第１の信号伝達情報は前記第１の論理周波数リソースでの通信に関する初期アクセス情報を含むステップと、
前記第１のフレーム構造とは異なる第２のフレーム構造を有する第２の論理周波数リソースで第２のデータに関連する第２の信号伝達情報を送信するステップと
を含む方法。
【請求項２】
前記第１の論理周波数リソース上の送信は第１の副搬送波間隔を有する物理リソースを使用し、前記第２の論理周波数リソース上の送信は、前記第１の副搬送波間隔とは異なる第２の副搬送波間隔を有する物理リソースを使用する、請求項１に記載の方法。
【請求項３】
前記第１の論理周波数リソースは第１の論理周波数サブバンドであり、前記第２の論理周波数リソースは第２の論理周波数サブバンドである、請求項１または２に記載の方法。
【請求項４】
前記第２の論理周波数リソースで前記第２のデータおよび前記第２のデータに関連する前記第２の信号伝達情報を送信するステップであり、前記第２の信号伝達情報は前記第２のデータに関連する初期アクセス情報を含むステップをさらに含む、請求項３に記載の方法。
【請求項５】
前記初期アクセス情報は、放送、同期、およびチャネルを含む、請求項１から４のいずれか一項に記載の方法。
【請求項６】
前記第１の信号伝達情報は、ランダムアクセス信号伝達を含む、請求項１から５のいずれか一項に記載の方法。
【請求項７】
前記第１の論理周波数リソース上の前記送信は、第１のサービスに関してのものであり、前記第２の論理周波数リソース上の前記送信は、第２のサービスに関してのものであり、
前記方法はさらに、
前記第１のサービスに対し、前記第１の論理周波数リソースを第１の物理周波数リソースにマッピングするステップと、
前記第２のサービスに対し、前記第２の論理周波数リソースを第２の物理周波数リソースにマッピングするステップとを含み、
前記マッピングのうちの少なくとも１つは、サービス固有の方法で実行され、
前記第１の物理周波数リソース上の送信は第１の副搬送波間隔を使用し、前記第２の物理周波数リソース上の送信は、前記第１の副搬送波間隔とは異なる第２の副搬送波間隔を使用する、請求項１から６のいずれか一項に記載の方法。
【請求項８】
前記第１の論理周波数リソースはさらに、初期アクセス用に使用される１次論理周波数リソースと、２次論理周波数リソースに分割され、前記方法はさらに、
初期アクセス中に、初期アクセス以外の前記第１のサービスに関する通信に対して前記１次論理周波数リソースまたは前記２次論理周波数リソースを使用するかについての命令を送信するステップを含む、請求項５から７のいずれか一項に記載の方法。
【請求項９】
各論理周波数リソースに対して対応するハイパーセル識別子を使用するステップをさらに含む、請求項１から８のいずれか一項に記載の方法。
【請求項１０】
第１のフレーム構造は、マシンタイプの通信（ＭＴＣ）フレーム構造であり、
前記ＭＴＣフレーム構造の中の少なくとも１つのチャネルは、前記第２のフレーム構造の中の対応するチャネルとは異なる周期性を持つ、請求項１に記載の方法。
【請求項１１】
前記ＭＴＣフレーム構造は、第１の同期チャネルを有し、
前記第２のフレーム構造は、第２の同期チャネルを有し、
前記第１の同期チャネルは、第２の同期チャネルよりも長い周期性を有する、請求項１０に記載の方法。
【請求項１２】
前記ＭＴＣフレーム構造は、第１の放送チャネルを有し、
前記第２のフレーム構造は、第２の放送チャネルを有し、
前記第１の放送チャネルは、第２の放送チャネルよりも長い周期性を有する、請求項１０に記載の方法。
【請求項１３】
第１のフレーム構造を有する第１の論理周波数リソースで第１のデータおよび前記第１のデータに関連する第１の信号伝達情報を送信するように構成される第１の送信機であり、前記第１の信号伝達情報は前記第１の論理周波数リソースでの通信に関する初期アクセス情報を含む第１の送信機と、
前記第１のフレーム構造とは異なる第２のフレーム構造を有する第２の論理周波数リソースで第２のデータに関連する第２の信号伝達情報を送信するように構成される第２の送信機と
を備える装置。
【請求項１４】
前記第１の論理周波数リソースは、第１の論理周波数サブバンドであり、前記第２の論理周波数リソースは第２の論理周波数サブバンドである、請求項１３に記載の装置。
【請求項１５】
前記第２の送信機は、前記第２の論理周波数リソースで前記第２のデータおよび第２のデータに関連する前記第２の信号伝達情報を送信し、前記第２の信号伝達情報は前記第２のデータに関連する初期アクセス情報を含む、請求項１４に記載の装置。
【請求項１６】
前記第１のフレーム構造は、マシンタイプの通信（ＭＴＣ）フレーム構造であり、
前記ＭＴＣフレーム構造の中の少なくとも１つのチャネルは、前記第２のフレーム構造の中の対応するチャネルとは異なる周期性を持つ、請求項１３に記載の装置。
【請求項１７】
前記ＭＴＣフレーム構造は、第１の同期チャネルを有し、
前記第２のフレーム構造は、第２の同期チャネルを有し、
前記第１の同期チャネルは、第２の同期チャネルよりも長い周期性を有する、請求項１６に記載の装置。
【請求項１８】
前記ＭＴＣフレーム構造は、第１の放送チャネルを有し、
前記第２のフレーム構造は、第２の放送チャネルを有し、
前記第１の放送チャネルは、第２の放送チャネルよりも長い周期性を有する、請求項１３に記載の装置。
【手続補正２】
【補正対象書類名】明細書
【補正対象項目名】全文
【補正方法】変更
【補正の内容】
【発明の詳細な説明】
【技術分野】
【０００１】
［関連出願の参照］
本出願は、２０１６年２月４日に出願され、かつ「Ｓｉｇｎａｌｉｎｇ  ａｎｄ  Ｃｏｎｔｒｏｌ  Ｃｈａｎｎｅｌ  Ｓｔｒｕｃｔｕｒｅｓ  ｆｏｒ  Ｍｕｌｔｉｐｌｅ  Ｓｅｒｖｉｃｅｓ」と題する米国特許出願第１５／０１５，６４９号の優先権を主張し、その内容全体が、参照により本明細書に組み込まれるものとする。
【０００２】
本出願は、複数のサービスに対する信号伝達および制御チャネル構造に関する。
【背景技術】
【０００３】
単一のネットワーク内で利用可能な複数のサービスは、大幅に異なる帯域幅要件を有する場合がある。その例には、全体のシステム帯域幅内で比較的狭い帯域幅要件を有するマシンタイプの通信（ＭＴＣ）と、システム帯域幅内で比較的大きな帯域幅要件を有する拡張型モバイルブロードバンド（ｅＭＢＢ）が含まれる。
【０００４】
効率的な帯域幅を使用することが一般的に必要である。さらに、ＭＴＣデバイスは可能な限り低コストであることが望ましい。現在のロングタームエボリューション（ＬＴＥ）システムは、同じ帯域幅内の同じ信号伝達および制御チャネル構造で異なるサービスがサポートされる信号伝達および制御チャネル構造からなる。新規サービスの導入は、新規サービスの異なる帯域幅とカバレッジ要件に対応するのに十分な柔軟性を持ち得ない同じ構造によってのみサポートされることができる。
【発明の概要】
【０００５】
一態様によると、第１の論理周波数リソースで第１のデータおよび第１のデータに関連する第１の信号伝達情報を送信するステップであり、第１の信号伝達情報は第１のデータに関連する初期アクセス情報を含むステップと、第２の論理周波数リソースで第２のデータに関連する第２の信号伝達情報を送信するステップとを含む方法が提供される。
【０００６】
さらなる態様によると、前述の態様のいずれかにおいて、第１の論理周波数リソース上の送信は第１の副搬送波間隔を有する物理リソースを使用し、第２の論理周波数リソース上の送信は、第１の副搬送波間隔とは異なる第２の副搬送波間隔を有する物理リソースを使用する。
【０００７】
さらなる態様によると、前述の態様のいずれかにおいて、第１の論理周波数リソースは論理周波数サブバンドであり、第２の論理周波数リソースは論理周波数サブバンドである。
【０００８】
さらなる態様によると、前述の態様のいずれかにおいて、方法は、第２の論理周波数リソースで第２のデータおよび第２のデータに関連する第２の信号伝達情報を送信するステップであり、第２の信号伝達情報は第２のデータに関連する初期アクセス情報を含むステップをさらに含む。
【０００９】
さらなる態様によると、前述の態様のいずれかにおいて、第１の信号伝達情報は、放送、同期、およびＡＣＫ／ＮＡＣＫ信号伝達を含む。
【００１０】
さらなる態様によると、前述の態様のいずれかにおいて、第１の信号伝達情報は、ランダムアクセス信号伝達を含む。
【００１１】
さらなる態様によると、前述の態様のいずれかにおいて、第１の論理周波数リソース上の送信は、第１のマシンタイプの通信（ＭＴＣ）チャネルに対してのものであり、第２の論理周波数リソース上の送信は、第２のＭＴＣチャネルに対してのものである。
【００１２】
さらなる態様によると、前述の態様のいずれかにおいて、第１の論理周波数リソース上の送信および第２の論理周波数リソース上の送信は送信機により実行される。
【００１３】
さらなる態様によると、前述の態様のいずれかにおいて、第１の論理周波数リソース上の送信は、第１のサービスに関してのものであり、第２の論理周波数リソース上の送信は、第２のサービスに関してのものであり、方法はさらに、第１のサービスに対し、第１の論理周波数リソースを第１の物理周波数リソースにマッピングするステップと、第２のサービスに対し、第２の論理周波数リソースを第２の物理周波数リソースにマッピングするステップとを含み、マッピングのうちの少なくとも１つは、サービス固有の方法で実行される。
【００１４】
さらなる態様によると、前述の態様のいずれかにおいて、第１の物理周波数リソース上の送信は第１の副搬送波間隔を使用し、第２の物理周波数リソース上の送信は、第１の副搬送波間隔とは異なる第２の副搬送波間隔を使用する。
【００１５】
さらなる態様によると、前述の態様のいずれかにおいて、第１のサービスは、マシンタイプの通信（ＭＴＣ）であり、第１の論理周波数リソースを第１の物理周波数リソースにマッピングするステップは、直接マッピングを実行するステップを含む。
【００１６】
さらなる態様によると、前述の態様のいずれかにおいて、第１の論理周波数リソース上の送信は、第１のサービスに関してのものであり、第２の論理周波数リソース上の送信は、第２のサービスに関してのものであり、方法はさらに、第２のサービスに対し、デフォルトのフレーム構造を使用して初期アクセスを提供するステップを含み、第２のサービスに対して初期アクセスが完了した後で、第２のサービスに関するさらなる通信は、第２の論理周波数リソース内で自己完結される。
【００１７】
さらなる態様によると、前述の態様のいずれかにおいて、デフォルトのフレーム構造は、第２の論理周波数リソース内にある。
【００１８】
さらなる態様によると、前述の態様のいずれかにおいて、デフォルトのフレーム構造は、第２の論理周波数リソース外にある。
【００１９】
さらなる態様によると、前述の態様のいずれかにおいて、第１の論理周波数リソースはさらに、初期アクセス用に使用される１次論理周波数リソースと、２次論理周波数リソースに分割され、方法はさらに、初期アクセス中に、初期アクセス以外の第１のサービスに関する通信に対して１次論理周波数リソースまたは２次論理周波数リソースを使用するかについての命令を送信するステップを含む。
【００２０】
さらなる態様によると、前述の態様のいずれかにおいて、方法は、各論理周波数リソースに対して対応するハイパーセル識別子を使用するステップをさらに含む。
【００２１】
さらなる態様によると、前述の態様のいずれかにおいて、方法は、サービスおよびデバイス機能に基づいて設定可能な方法でエアインタフェース構成の論理−物理周波数リソースへのマッピングを実行するステップをさらに含む。
【００２２】
本発明の別の態様によると、ユーザ機器における方法であって、第１の周波数サブバンドを用いて初期システムアクセスを実行するステップと、第２のサブバンドで継続中の通信のために使用するリソースの割り当てを受信するステップと、第２のサブバンドを用いて継続中の通信を実行するステップとを含む方法が提供される。
【００２３】
本発明のさらなる態様によると、第１の論理周波数リソースで第１のデータおよび第１のデータに関連する第１の信号伝達情報を送信するように構成される第１の送信機であり、第１の信号伝達情報は第１のデータに関連する初期アクセス情報を含む第１の送信機と、第２の論理周波数リソースで第２のデータに関連する第２の信号伝達情報を送信するように構成される第２の送信機とを備える装置が提供される。
【００２４】
さらなる態様によると、前述の態様のいずれかにおいて、第１の論理周波数リソースは、論理周波数サブバンドであり、第２の論理周波数リソースは論理周波数サブバンドである。
【００２５】
さらなる態様によると、前述の態様のいずれかにおいて、第２の送信機は、第２の論理周波数リソースで第２のデータおよび第２のデータに関連する第２の信号伝達情報を送信し、第２の信号伝達情報は第２のデータに関連する初期アクセス情報を含む。
【００２６】
さらなる態様によると、前述の態様のいずれかにおいて、第１の信号伝達情報は、放送、同期、およびＡＣＫ／ＮＡＣＫ信号伝達を含む。
【００２７】
さらなる態様によると、前述の態様のいずれかにおいて、第１の信号伝達情報は、ランダムアクセス信号伝達を含む。
【００２８】
さらなる態様によると、前述の態様のいずれかにおいて、第１の論理周波数リソース上の送信は、第１のマシンタイプの通信（ＭＴＣ）チャネルに対するものであり、第２の論理周波数リソース上の送信は、第２のＭＴＣチャネルに対するものである。
【００２９】
さらなる態様によると、前述の態様のいずれかにおいて、第１の論理周波数リソース上の送信および第２の論理周波数リソース上の送信は送信機により実行される。
【００３０】
本発明のさらに別の態様によると、第１の論理周波数リソースで第１のデータおよび第１のデータに関連する第１の信号伝達情報を送信することにより第１のサービスを提供するように構成される送信機であり、第１の信号伝達情報は第１のデータに関連する初期アクセス情報を含む送信機を備え、送信機はさらに、第２の論理周波数リソースで第２のデータに関連する第２の信号伝達情報を送信するように構成される、装置が提供される。
【００３１】
さらなる態様によると、前述の態様のいずれかにおいて、装置は、第２のサービスに対し、デフォルトのフレーム構造を使用して初期アクセスを提供し、第２のサービスに対して初期アクセスが完了した後で、第２のサービスに関する継続中の通信を第２の論理周波数リソース内に提供するように構成される。
【００３２】
さらなる態様によると、前述の態様のいずれかにおいて、デフォルトのフレーム構造は、第２の論理周波数リソース内にある。
【００３３】
さらなる態様によると、前述の態様のいずれかにおいて、デフォルトのフレーム構造は、第２の論理周波数リソース外にある。
【００３４】
さらなる態様によると、前述の態様のいずれかにおいて、装置は、各論理周波数リソースに対して対応するハイパーセル識別子を使用するように構成される
【図面の簡単な説明】
【００３５】
ここで、本開示の実施形態は、添付図面を参照して説明する。
【００３６】
【図１】図１は、複数のサービスに対するリソースの割り当てを示す時間周波数リソース割り当て図の例である。
【図２Ａ】図２Ａは、異なるサービスに対する異なるハイパーセルＩＤを示すシステム図である。
【図２Ｂ】図２Ｂは、異なるサービスを提供する単一のハイパーセルＩＤを示すシステム図である。
【図３Ａ】図３Ａは、論理パーティショニングおよびサービス依存のマッピングの例である。
【図３Ｂ】図３Ｂは、論理パーティショニングおよびサービス依存のマッピングの別の例である。
【図４】図４は、狭いサブバンド内のデフォルトのフレーム構造およびＭＴＣフレーム構造の共存の例である。
【図５】図５は、デフォルトのフレーム構造および隣接する自己完結型のＭＴＣフレーム構造の例である。
【図６Ａ】図６Ａは、複数のサービススライスを送信する送信機のブロック図である。
【図６Ｂ】図６Ｂは、サービススライスを受信する受信機のブロック図である。
【発明を実施するための形態】
【００３７】
ソフトウエア設定可能なエアインタフェース（ＳｏｆｔＡＩ）は、多様なサービスおよびデバイス機能に対応するために提案されている。例えば、「Ｓｙｓｔｅｍ  ａｎｄ  Ｍｅｔｈｏｄ  ｆｏｒ  Ｄｙｎａｍｉｃａｌｌｙ  Ｃｏｎｆｉｇｕｒａｂｌｅ  Ａｉｒ  Ｉｎｔｅｒｆａｃｅ」と題される、米国特許出願第２０１４００１６５７０号を参照されたい。デフォルトのフレーム構造は、ユーザ機器（ＵＥ）の初期アクセスを容易にし、かつＵＥに他のサブバンドにおいてフレーム構造設定を使用するように指示するために定義されてもよい。デフォルトのフレーム構造は、様々なサービスへの初期アクセスのために使用されてもよく、サービス特有である必要はない。そのような状況では、ＵＥは、デフォルトのフレーム構造を含むサブバンドと、指示されたフレーム構造を含むサブバンドの両方を受信することができる必要がある。
【００３８】
ＭＴＣデバイスは、低コストのデバイスであることが望ましく、これらのデバイスが狭帯域の送信および受信のみをサポートすることを必要とし得る。非常に広いシステム帯域幅（例えば、１００ＭＨｚ）の場合、デフォルトのフレーム構造（制御信号伝達用）とマシンタイプ通信（データ交換用）の複数のサブバンドを同時にサポートする低コストのＭＴＣデバイスの作成は実現し得ない。
【００３９】
いくつかの実施形態では、システム帯域幅は、各サービスに対してそれぞれのサブバンドで構成される。サービスの少なくとも１つについては、信号伝達およびデータチャネルの自己完結型のセットが構成されたサブバンド内で定義され得、そのサービスを取得するＵＥは、システム帯域幅全体ではなく、構成されたサブバンドを監視するだけでよい。
【００４０】
ここで図１を参照すると、例えば、２０ＭＨｚ以上のシステム帯域幅が第１のサブバンド１００と第２のサブバンド１０１とに分割される第１の例が示されている。システム帯域幅は、同じ搬送波周波数で動作するシステムに関連する帯域幅である。より多くのサブバンドが存在し得る。異なるヌメロロジーまたはチャネル化が２つのサブバンド内で用いてもよい。例えば、共通譲渡され、同時係属であり、「Ｓｙｓｔｅｍ  ａｎｄ  Ｓｃｈｅｍｅ  ｏｆ  Ｓｃａｌａｂｌｅ  ＯＦＤＭ  Ｎｕｍｅｒｏｌｏｇｙ」と題する、Ｌｉｑｉｎｇ  Ｚｈａｎｇらに対する米国仮特許出願第６２／１６９，３４２号、「Ｒｅｓｏｕｒｃｅ  Ｂｌｏｃｋ  Ｃｈａｎｎｅｌｉｚａｔｉｏｎ  ｆｏｒ  ＯＦＤＭ−ｂａｓｅｄ  Ｎｕｍｅｒｏｌｏｇｉｅｓ」と題する米国出願第１４／９４２，９８３号、および「Ｓｙｓｔｅｍ  ａｎｄ  Ｍｅｔｈｏｄ  ｆｏｒ  Ｂａｎｄｗｉｄｔｈ  Ｄｉｖｉｓｉｏｎ  ａｎｄ  Ｒｅｓｏｕｒｃｅ  Ｂｌｏｃｋ  Ａｌｌｏｃａｔｉｏｎ」と題する米国出願第１５／００６，７７２を参照されたい。
【００４１】
各サービススライスは、各サブバンド１００、１０１内に実装される。この例では、ｅＭＢＢサービスがサブバンド１００内に実装され、ＭＴＣサービスがサブバンド１０１内に実装されるが、より一般的には、いくつかの実施形態では、２つ以上の異なるサービスが２つ以上の対応するサブバンド内に設けられている。サブバンド位置、フレーム構造設定、および帯域幅は、サービススライスごとにあらかじめ定義されることができる。図示の例では、送信リソースはダウンリンク送信用である。より一般的には、本明細書に記載の方法およびシステムは、アプリケーションに応じて、ダウンリンクまたはアップリンク、もしくはダウンリンクおよびアップリンクの両方に適用されることができる。サブバンド１００およびサブバンド１０１などの複数のサブバンド上のダウンリンク送信は、同一のまたは異なるネットワーク要素からであってもよい。
【００４２】
第１のサブバンド１００は、データ用の送信リソース、およびデータに関連する信号伝達情報を含むエアインタフェース構成に割り当てられる。図示された例では、データおよびシグナリング情報は、ｅＭＢＢであり得る第１のサービスに関連付けられる。初期アクセスのためのデフォルトのフレーム構造１０９は、サブバンド１００内で定義される。
【００４３】
デフォルトのフレーム構造１０９は、デフォルトの同期チャネル１０６と、デフォルトの放送チャネル１０８とを含む。デフォルトのフレーム構造は、継続的に、例えば、１０ミリ秒毎に繰り返される。より一般的には、別々に割り当てられたリソースまたは周期性を有するデフォルトの構造が提供されてもよい。デフォルトのフレーム構造はまた、ランダムアクセスチャネル（図示せず）を含むことができる。初期アクセスに必要なチャネルは、デフォルトのフレーム構造に含まれる。図示の例では、これらは、直交周波数分割多重（ＯＦＤＭ）シンボルおよびフレームのタイミングを得るためのデフォルトの同期チャネル１０６と、基本システム情報を搬送するデフォルトの放送チャネル１０８とを含む。デフォルトのフレーム構造内の残スペースは、データを搬送するために使用されることができる。
【００４４】
初期アクセスに必要でない他のチャネルは、デフォルトのフレーム構造１０９の内部になくてもよい。図示の例では、そのような追加チャネルは、部分的にデフォルトのフレーム構造１０９内にあり、部分的にデフォルトのフレーム構造１０９の外側にあるｅＭＭＢ１０４のための制御チャネルと、肯定応答／否定応答（ＡＣＫ／ＮＡＣＫ）チャネル１１０とを含む。
【００４５】
動作において、デフォルトのフレーム構造１０９では、ｅＭＢＢサービスのための初期アクセスは、デフォルトのフレーム構造によって提供されるチャネルを使用して実行することができる。デフォルトのフレーム構造は、継続中の通信にどのリソースを使用するかをＵＥに通知するために使用されることもできる。ｅＭＢＢの場合、これは、サブバンド１００内のリソースを割り当てることを含むことになろう。
【００４６】
第２のサブバンド１０１は、データ用の送信リソースとＭＴＣ用の信号伝達情報とを含む無線インタフェース構成に割り当てられる。ＭＴＣ同期チャネル１１１およびＭＴＣ放送チャネル１１２を含む初期アクセスのためのリソースを含むフレーム構造１２０が示されている。ＭＴＣに対する同期化は、例えば、１００ｍｓ毎に実行されてもよい。フレーム構造１２０はまた、ＭＴＣ、ＡＣＫ／ＮＡＣＫチャネル１１４、およびＭＴＣ制御チャネル１１６を含む継続中の通信のための他のリソースも含む。いくつかの実施形態では、サブバンド１０１は、所与のシステム帯域幅のエッジに位置する。
【００４７】
サブバンド１０１内では、ＭＴＣ同期チャネル１１１および放送チャネル１１２は、デフォルトのフレーム構造１０９とは異なるＭＴＣフレーム構造に従って定義されてもよい。チャネル１１１および１１２は、チャネル１０６と１０８とは異なる周期性または異なるマッピング（例えば、長期にわたってマッピングされた）を有し得る。例えば、ＭＴＣ同期チャネル１１１は、ＭＴＣデバイスの低い移動性のために、デフォルトの同期チャネル１０６よりも長い周期性を有し得る。ＭＴＣ放送チャネル１１２は、システム情報の変化が少ないため、デフォルトの放送チャネル１０８よりも長い周期性を有し得る。動作において、ＭＴＣ  ＵＥは、同期およびシステム情報に対する事前定義されたＭＴＣフレーム構造設定に同調する。
【００４８】
上記の例では、異なるサービスがサブバンド１００、１０１のそれぞれの中に実装されている。別の実施形態では、同じサービスが２つ以上のサブバンドのそれぞれ内で実装され、サブバンドの各々は、初期アクセスに必要なものと、継続中の通信に必要なものの両方を含む、そのサブバンドにおけるエンドツーエンド通信に必要なすべてのリソースを含む。特定の実施形態では、隣接していてもいなくてもよい２つのサブバンドのそれぞれにおいてＭＴＣサービスが提供される。これは、１つのサブバンド内に収まらない大量のＭＴＣトラフィックが存在する状況に適している。それぞれ初期アクセスと継続中の通信の両方にリソースを提供する２つのサブバンドを提供することにより、ＵＥは、初期アクセスに対する帯域外制御チャネルに依存する必要はない。いくつかの実施形態では、所与のサービスを提供する２つのサブバンド、例えば、ＭＴＣ、があり、所与のＵＥに割り当てられたサブバンドは予め定義されてもよい。別の例を再び図１を参照して説明する。この例では、システム帯域幅は、前の例で説明したのと同じ第１のサービスに対するサブバンド１０１と、第２のサービスに対するサブバンド１０３とに分割される。サブバンド１０３は、前の例で説明したのと同じサブバンド１００と、別のサブバンド１０２にさらに細分される。２つのサブバンド１００、１０２は、例えば、同じサービス、例えば、ｅＭＢＢに対して２つの異なるヌメロロジーオプションをサポートするために使用されてもよい。別の例では、２つのサブバンド１００、１０２は、２つの異なるサービス、例えば、ｅＭＢＢサービスおよび放送サービスに対して２つの異なるヌメロロジーオプションをサポートするために使用されてもよい。２つのサブバンド１００、１０２は、共通の制御チャネルを共有することができる。例えば、制御チャネル１０４は、サブバンド１００および１０２に対するリソース割り当てなどの制御情報を提供するために使用されることができる。サブバンド１００および１０２などの、単一のサービスに対して複数のサブバンドが提供されるいくつかの実施形態では、デフォルトのフレーム構造は、サービスに対して提供される複数のサブバンド内の継続中の通信にどのリソースを使用するかをユーザに通知するために使用されることができる。例えば、サブバンド１００上のデフォルトのフレーム構造１０９を使用して初期アクセスを実行するＵＥは、継続中の通信に対するサブバンド１００またはサブバンド１０２内のリソースについて通知され、またはそれを使用するように指示されることができる。このシナリオにおけるＵＥは、サブバンド１０３を受信および復号することができる必要があることに留意されたい。ＵＥが継続中の通信に対して初期アクセスに使用されたものとは異なるサブバンドを使用するように指示されるいくつかの実施形態では、後続のアクセスに対して異なるサブバンドも使用する。いくつかの実施形態では、サブバンド１００、１０１、１０２のサイズは、ネットワークによって時間の経過に伴い調整されることができる。この調整は、システムの利用可能な帯域幅、異なるサブバンド上の異なるサービスのトラフィック負荷、または異なるサブバンド上でサポートされるＵＥの数に基づくことができる。さらに、信号伝達および制御チャネル構造は、サブバンド帯域幅を変化させる場合に異なってもよい。
【００４９】
いくつかの実施形態では、チャネル構造は、異なるサービスの異なるカバレッジ要件をサポートするように実装される。例えば、ｅＭＢＢ制御チャネルは、ＭＴＣ制御チャネルとは異なるカバレッジ要件を有してもよい。例えば、ＭＴＣ制御チャネルは、地下の機器に到達することが必要なことも、デバイスの移動性に対応する必要がないこともあり得る。
【００５０】
各ＵＥは、特定のサブバンド内の受信信号を処理する役割を担う。ネットワークの観点からは、サブバンドは必ずしも特定のサービス専用ではない。必要なすべてのチャネルが考慮された後に残されたリソースは、他の目的に割り当てられることができる。
【００５１】
いくつかの実施形態では、異なるサービスのデータチャネルおよび制御チャネルは、異なるハイパーセルＩＤによってカバーされてもよい。システム帯域幅が、例えば、ｅＭＢＢのような第１のサービススライス（サービススライス＃１）用の第１のサブバンド２００と、例えば、ＭＴＣのような第２のサービススライス（サービススライス＃２）用の第２のサブバンド２０２とに分割される例が図２Ａに示されている。第１のハイパーセル（ハイパーセル＃１、より一般的には第１の論理エンティティ）２０４は、第１のサービススライス上で動作するネットワーク要素２０６、２０８、２１０、２１２、２１４、２１６から構成され、第２のハイパーセル（ハイパーセル＃２、より一般的には第２の論理エンティティ）２１８は、第２のサービススライス上で動作する要素２１４、２２０、２２２から構成される。ネットワーク要素は、例えば、ネットワークコントローラに接続された基地局、アクセスポイント、またはリモート無線ヘッド（ＲＲＨ）とすることができる。ネットワーク要素２１４は、両方のサービススライス上で動作していることが分かる。この場合、ネットワーク要素２１４の送信機は、サービススライス＃１  ２００およびサービススライス＃２  ２０２の両方に対する信号伝達情報を送信する。ネットワーク要素２０６、２０８、２１０、２１２、２１６は、サービススライス＃１  ２００に対する信号伝達情報を送信する。ネットワーク要素２２０、２２２は、サービススライス＃２  ２０２に対する信号伝達情報を送信する。図２Ｂは、サービススライス＃１とサービススライス＃２の両方が単一のハイパーセル２３０によって提供される別の例を示す。
【００５２】
いくつかの実施形態では、論理−物理周波数パーティションマッピングは、サービスシナリオおよびデバイス機能に基づいて設定可能である。例えば、低コストのＭＴＣサービスなどの第１のサービスは、物理的に限定されたサブバンド内に直接的な論理−物理マッピングを有してもよく、ｅＭＢＢなどの第２のサービスは、論理リソースを物理リソースにマッピングするためにホッピングパターンを使用してもよい。
【００５３】
図３Ａには３００において２つのサービススライスに対する論理パーティショニングが示される一例が示されている。図３の左側の周波数軸は、論理周波数リソースを表す。パーティション３０２は第１のサービススライスに割り当てられ、パーティション３０４は第２のサービススライスに割り当てられる。ホッピングパターンを使用してパーティション３０２が３０５でリソース３０６にマッピングされ、パーティション３０４が制限されたサブバンド３０８に直接マッピングされるように、サービス依存マッピングが採用される。２つのマッピング３０５、３０７は、論理周波数のブロックを物理リソースにマッピングするための２つの異なるマッピングオプションを示す。別の例が、サブバンド３１０に対する物理リソース３２０への直接マッピング３１４と、サブバンド３１２に対するホッピングパターンを使用した物理リソース３２０へのマッピング３１４との組み合わせを示す図３Ｂに示されている。
【００５４】
別の例が、システム全体の帯域幅のサブバンド４００内に定義されるデフォルトのフレーム構造を示す図４に示されている。この例では、ＭＴＣのフレーム構造４０４は、時分割多重（ＴＤＭ）式でデフォルトのフレーム構造４０２と同じサブバンド内で発生する。有益なことに、このような構造では、ＭＴＣデバイスは、デフォルトのフレーム構造を使用して初期アクセスを実行し、ＭＴＣフレーム構造との継続中の通信を実行し、２つのサブバンドを監視するだけでよい。これは、サブバンド間でホッピングする能力を必要としない、より低コストのＭＴＣデバイスを構築することを可能にする。
【００５５】
別の例が図５に示されている。この例では、予め定義されたデフォルトフレーム構造５０４を含む第１のサブバンド５００がある。ＭＴＣ用の自己完結型のフレーム構造５０６であり、例えば、ＭＴＣ用に構成されたＭＴＣ同期および放送チャネルを含む第２のサブバンド５０２がある。動作において、ＵＥは、ＭＴＣ構成（例えば、マシンタイプのサービスに対するサブバンド）の初期同期およびシステム情報用の、あらかじめ定義されたデフォルトのフレーム構造５０４に同調する。これは、システムへの初期アクセスまたはＭＴＣサブバンド位置の変更の場合のみに対する。この例では、２つのサブバンド５００、５０２は、ＵＥが広い帯域幅をサポートする必要がないような物理帯域幅（図示せず）に集合的に限定される。
【００５６】
後続のネットワークエントリでは、ＵＥは、ＭＴＣサブバンド５０２において直ちに初期アクセスを実行する。ＭＴＣ同期および関連システム情報は、マシンタイプのサービスに対するサブバンドで搬送され、したがって、サブバンド５０２はＭＴＣ操作に対し自己完結されている。
【００５７】
ＭＴＣデバイスの受信能力を最小限にすることが望ましい実施形態では、自己完結型のＭＴＣフレーム構造は、周波数においてデフォルトのフレーム構造に近接して配置される。
【００５８】
ＭＴＣ  ＵＥの初期アクセスの例示的な方法では、ＭＴＣ  ＵＥは、サポートされる帯域内の潜在的搬送波周波数（無線周波数（ＲＦ）チャネル）を探索する。各搬送波周波数は、例えば、Ｅ−ＵＴＲＡ絶対無線周波数チャネル番号（ＥＡＲＦＣＮ）によって識別され得る。各帯域のキャリア周波数の数は、スペクトル帯域内のフルセットから縮小されたセットであってもよい。各潜在的搬送波周波数について、ＭＴＣ  ＵＥは、同期チャネルを検出することによって同期を獲得しようとする。いくつかの実施形態では、ＭＴＣ  ＵＥは、ＭＴＣ固有の同期チャネルおよび通常の同期チャネルを試行する。
【００５９】
ここで図６Ａを参照すると、自己完結的な方法で１つまたは複数のサービスに対するチャネルを送信するために使用されることができる送信機の一部の例示的な簡略ブロック図が示されている。この例では、それぞれがＬ＞＝２である対応するヌメロロジーを有するＬ個のサービスがあるが、より一般的には、各サービスに対して異なるヌメロロジーを使用する必要はない。
【００６０】
各サービスについて、それぞれの送信チェーン６００、６０２が存在する。図６Ａは、第１および第Ｌのヌメロロジーのための単純化された機能を示し、他のヌメロロジーのための機能も同様である。異なるサービスの送信が異なるネットワーク要素からのものである場合、送信チェーン６００は第１のネットワーク要素にあり、送信チェーン６０２は第２のネットワーク要素にある。また、図６Ｂには、第１のヌメロロジーを使用して動作する受信機のための受信チェーン６０３の簡略化された機能性が示されている。
【００６１】
第１のヌメロロジーのための送信チェーン６００は、コンステレーションマッピング部６１０、副搬送波マッピング部／グルーピング部６１１、副搬送波間隔ＳＣ１を有するＩＦＦＴ６１２、パイロットシンボル（Ｐ／Ｓ）およびサイクリックプレフィックス挿入部６１４、およびスペクトル整形フィルタ６１６を含む。動作において、コンステレーションマッピング部６１０は、Ｋ1個のＵＥについてのデータまたは信号伝達６１８を含むユーザコンテンツを受信する（Ｋ1＞＝１）。サブバンド内の自己完結型データおよび信号伝達の場合、サービスに関する初期アクセス情報を含む信号伝達情報がユーザコンテンツ６１８の一部として含まれる。第１の論理周波数リソース内で初期アクセスが実行される場合、送信チェーン６００のユーザコンテンツ６１８は、初期アクセスのための信号伝達情報を含み、別の送信チェーンのユーザコンテンツは、継続中の通信のためのコンテンツ（例えば、送信チェーン６０２のユーザコンテンツ６３０）を含む。
【００６２】
コンステレーションマッピング部６１０は、第１のサービスに対するデータおよびシグナリング情報をコンステレーションシンボルのそれぞれのストリームにマッピングし、コンステレーションシンボル６２０のストリームを出力する。シンボル当たりのビット数は、コンステレーションマッピング部６１０によって使用される特定のコンスタレーションに依存する。４直交振幅変調（４−ＱＡＭ）の例では、各ユーザに対する２ビットがそれぞれのＱＡＭシンボルにマッピングされる。
【００６３】
副搬送波マッピング部／グルーピング部６１１は、各ＯＦＤＭシンボル期間について、コンステレーションマッピング部６１０によって生成されたコンステレーションシンボルをグループ化し、６２２でＩＦＦＴ６１２のＰ個までの入力にマッピングする。グルーピングおよびマッピングは、規定されたリソースブロック定義および送信チェーン６００で処理されているＫ1個のＵＥのコンテンツに対する割り当てに従い、スケジューラ情報に基づいて実行されるが、このスケジューラ情報は、チャネル化およびリソースブロック割り当てに基づいている。Ｐは、ＩＦＦＴ６１２のサイズである。Ｐ個の入力のすべてが必ずしも各ＯＦＤＭシンボル期間に使用されるわけではない。ＩＦＦＴ６１２は、最大でＰ個のシンボルを受信し、６２４でＰ個の時間領域サンプルを出力する。これに続いて、いくつかの実装では、時間領域パイロットシンボルが挿入され、サイクリックプレフィックスがブロック６１４で追加される。スペクトル整形フィルタ６１６は、送信チェーン６０２などの他の送信チェーンの出力との干渉を緩和するために、送信チェーン６００の出力でのスペクトルを制限するフィルタｆ1（ｎ）を適用する。スペクトル整形フィルタ６１６はまた、各サブバンドをその割り当てられた周波数位置へシフトすることも実行する。
【００６４】
送信チェーン６０２のような他の送信チェーンの機能は同様である。全ての送信チェーンの出力は、チャネル上での送信前に結合器６０４において結合される。
【００６５】
図６Ｂは、６０３に示す第１のヌメロロジーで動作するＵＥに対する受信チェーンの簡略ブロック図を示す。いくつかの実施形態では、既定のユーザ機器は、１つのサービス（例えば、ＭＴＣ）のみをサポートし、特定のヌメロロジーで動作するように恒久的に構成されている。いくつかの実施形態では、特定のＵＥは設定可能なヌメロロジーで動作する。受信チェーン６０３は、スペクトル整形フィルタ６３０、サイクリックプレフィックス除去器およびパイロットシンボルプロセッサ６３２、高速フーリエ変換（ＦＦＴ）６３４、副搬送波デマッピング部６３６および等化器６３８を含む。受信チェーンの各要素は、送信チェーンで実行されたものに対応する逆動作を実行する。別のヌメロロジーで動作するＵＥの受信チェーンも同様である。
【００６６】
いくつかの実施形態では、システム帯域幅は、各サービスに対するそれぞれのサブバンドで構成され、少なくとも１つのサブバンドが、将来の使用のために予約される。信号伝達およびデータチャネルの自己完結型のセットは、既存のサブバンドとは完全に独立し、かつ既存のサブバンドを妨害することなく、予約されたサブバンド内に定義することができる。これは、ある程度の将来のプルーフィングを提供する。
【００６７】
いくつかの実施形態では、上述したように、複数の異なるヌメロロジーが使用される。これらはサブバンドにわたって異なり、各サービススライスには異なる数量が使用される。いくつかの実施形態では、複数のヌメロロジーが１つのサービスに使用される。異なるヌメロロジーの使用の点から柔軟なフレーム構造が提案されている。ヌメロロジーは、副搬送波間隔およびＯＦＤＭシンボル持続時間に関して定義され、逆高速フーリエ変換（ＩＦＦＴ）長さ、送信時間間隔（ＴＴＩ）長さ、およびサイクリックプレフィックス（ＣＰ）長さまたは期間などの他のパラメータによって定義されてもよい。これらのヌメロロジーは、副搬送波間隔が異なるヌメロロジー間のように互いの倍数であり、ＴＴＩ長さも異なるヌメロロジー間のように互いの倍数であるという意味でスケーラブルである。複数のヌメロロジーにわたるこのようなスケーラブルな設計は、実装利益、例えば、時分割二重（ＴＤＤ）コンテキストにおけるスケーラブルな全てのＯＦＤＭシンボル期間を提供する。本出願人の同時係属中の、「Ｓｙｓｔｅｍ  ａｎｄ  Ｓｃｈｅｍｅ  ｏｆ  Ｓｃａｌａｂｌｅ  ＯＦＤＭ  Ｎｕｍｅｒｏｌｏｇｙ」と題するＬｉｑｉｎｇ  Ｚｈａｎｇらに対する米国仮出願第６２／１６９，３４２号も参照されたい。
【００６８】
以下の表１は、「フレーム構造」下の４列にスケーラブルなヌメロロジーを有する柔軟なフレーム構造設計の例を含む。フレームは、４つのスケーラブルなヌメロロジーの１つまたは組み合わせを使用して構築できる。比較のために、表の右側の列には、従来の固定ＬＴＥヌメロロジーが示されている。表１において、各ヌメロロジーは、第１の数のＯＦＤＭシンボルに対して第１のサイクリックプレフィックス長を使用し、第２の数のＯＦＤＭシンボルに対して第２のサイクリックプレフィックス長を使用する。例えば、「フレーム構造」の第１列では、ＴＴＩは、サイクリックプレフィックス長が１．０４μsの３つのシンボルと、サイクリックプレフィックス長が１．３μsの４つのシンボルとを含む。
【００６９】
第１の列は、６０ｋＨｚの副搬送波間隔でのヌメロロジーに対応し、これは最短のＯＦＤＭシンボル持続時間も有する。これは、Ｖｅｈｉｃｌｅ−ｔｏ−Ａｎｙ（Ｖ２Ｘ）通信や、より一般的には工業用制御アプリケーションなどの超低遅延通信に適している。第２の列は、３０ｋＨｚの副搬送波間隔でのヌメロロジーに対応している。第３の列は、１５ｋＨｚの副搬送波間隔でのヌメロロジーに対応している。このヌメロロジーは、ＴＴＩに７つのシンボルしか存在しないことを除いて、ＬＴＥと同じ構成を有する。これは、ブロードバンドサービスに適し得る。第４の列は、７．５ｋＨｚの副搬送波間隔でのヌメロロジーに対応し、４つのヌメロロジーの中で最も長いＯＦＤＭシンボル持続時間も有する。これは、カバレッジの向上と放送に役立ち得る。列挙された４つのヌメロロジーのうち３０ｋＨｚと６０ｋＨｚの副搬送波間隔を有するものは、副搬送波間隔がより広いため、ドップラー拡散（高速移動条件）に対してより堅固である。
【００７０】
【表１】
2019506083.tif 000013
【００７１】
表１の例の特定のヌメロロジーは説明のためのものであり、他のヌメロロジーを組み合わせた柔軟なフレーム構造を代わりに用いることができることを理解されたい。
【００７２】
ＯＦＤＭベースの信号は、複数のヌメロロジーが同時に存在する信号を送信するために使用されることができる。より具体的には、複数のサブバンドＯＦＤＭ信号は、それぞれ異なるサブバンド内に並行して生成することができ、各サブバンドは異なる副搬送波間隔（より一般的には、異なるヌメロロジーを有する）を有する。複数のサブバンド信号は、送信用の、例えば、ダウンリンク送信用の単一の信号に結合される。あるいは、複数のサブバンド信号は、例えば、複数のＵＥからのアップリンク送信用に、別々の送信機から送信されてもよい。特定の例では、フィルタリングされたＯＦＤＭ（ｆ−ＯＦＤＭ）が採用され得る。ｆ−ＯＦＤＭの場合、各サブバンドＯＦＤＭ信号のスペクトルを整形するためにフィルタリングが用いられ、その後、サブバンドＯＦＤＭ信号は、送信用に結合される。ｆ−ＯＦＤＭは、帯域外放射を低減し、送信を改善し、異なる副搬送波間隔の使用の結果として導入される非直交性に対処する。
【００７３】
いくつかの実施形態では、リソースブロック定義は設定可能である。例えば、リソースブロック当たりのトーンの数は、時間またはシステム帯域幅にわたって変化されることができる。例えば、本出願人の同時係属中であり，２０１５年１１月２６日に出願された、「Ｒｅｓｏｕｒｃｅ  Ｂｌｏｃｋ  Ｃｈａｎｎｅｌｉｚａｔｉｏｎ  ｆｏｒ  ＯＦＤＭ−ｂａｓｅｄ  Ｎｕｍｅｒｏｌｏｇｉｅｓ」と題する米国出願第１４／９５２９８３号を参照されたい。
【００７４】
例１．方法は、第１の論理周波数リソースで第１のデータおよび第１のデータに関連する第１の信号伝達情報を送信するステップであり、第１の信号伝達情報は第１のデータに関連する初期アクセス情報を含むステップと、第２の論理周波数リソースで第２のデータに関連する第２の信号伝達情報を送信するステップとを含む。
例２．例１の方法において、第１の論理周波数リソース上の送信は第１の副搬送波間隔を有する物理リソースを使用し、第２の論理周波数リソース上の送信は、第１の副搬送波間隔とは異なる第２の副搬送波間隔を有する物理リソースを使用する。
例３．例１または例２の方法において、第１の論理周波数リソースは論理周波数サブバンドであり、第２の論理周波数リソースは論理周波数サブバンドである。
例４．例３の方法において、方法は、第２の論理周波数リソースで第２のデータおよび第２のデータに関連する第２の信号伝達情報を送信するステップであり、第２の信号伝達情報は第２のデータに関連する初期アクセス情報を含むステップをさらに含む。
例５．例１から例４のいずれか１つの方法において、第１の信号伝達情報は、放送、同期、およびＡＣＫ／ＮＡＣＫ信号伝達を含む。
例６．例１から例５のいずれか１つの方法において、第１の信号伝達情報は、ランダムアクセス信号伝達を含む。
例７．例４から例６のいずれか１つの方法において、第１の論理周波数リソース上の送信は、第１のマシンタイプの通信（ＭＴＣ）チャネルに対してのものであり、第２の論理周波数リソース上の送信は、第２のＭＴＣチャネルに対してのものである。
例８．例１から例７のいずれか１つの方法において、第１の論理周波数リソース上の送信および第２の論理周波数リソース上の送信は送信機により実行される。
例９．例１から例８のいずれか１つの方法において、第１の論理周波数リソース上の送信は、第１のサービスに関してのものであり、第２の論理周波数リソース上の送信は、第２のサービスに関してのものであり、方法はさらに、第１のサービスに対し、第１の論理周波数リソースを第１の物理周波数リソースにマッピングするステップと、第２のサービスに対し、第２の論理周波数リソースを第２の物理周波数リソースにマッピングするステップとを含み、マッピングのうちの少なくとも１つは、サービス固有の方法で実行される。
例１０．例９の方法において、第１の物理周波数リソース上の送信は第１の副搬送波間隔を使用し、第２の物理周波数リソース上の送信は、第１の副搬送波間隔とは異なる第２の副搬送波間隔を使用する。
例１１．例９または例１０の方法において、第１のサービスは、マシンタイプの通信（ＭＴＣ）であり、第１の論理周波数リソースを第１の物理周波数リソースにマッピングするステップは、直接マッピングを実行するステップを含む。
例１２．例１から例１１のいずれか１つの方法において、第１の論理周波数リソース上の送信は、第１のサービスに関してのものであり、第２の論理周波数リソース上の送信は、第２のサービスに関してのものであり、方法はさらに、第２のサービスに対し、デフォルトのフレーム構造を使用して初期アクセスを提供するステップを含み、第２のサービスに対して初期アクセスが完了した後で、第２のサービスに関するさらなる通信は、第２の論理周波数リソース内で自己完結される。
例１３．例１２の方法において、デフォルトのフレーム構造は、第２の論理周波数リソース内にある。
例１４．例１２の方法において、デフォルトのフレーム構造は、第２の論理周波数リソース外にある。
例１５．例５から例１４のいずれか１つの方法において、第１の論理周波数リソースはさらに、初期アクセス用に使用される１次論理周波数リソースと、２次論理周波数リソースに分割され、方法はさらに、初期アクセス中に、初期アクセス以外の第１のサービスに関する通信に対して１次論理周波数リソースまたは２次論理周波数リソースを使用するかについての命令を送信するステップを含む。
例１６．例１から例１５のいずれか１つの方法において、方法は、各論理周波数リソースに対して対応するハイパーセル識別子を使用するステップをさらに含む。
例１７．例１から例１６のいずれか１つの方法において、方法は、サービスおよびデバイス機能に基づいて設定可能な方法でエアインタフェース構成の論理−物理周波数リソースへのマッピングを実行するステップをさらに含む。
例１８．ユーザ機器における方法は、第１の周波数サブバンドを用いて初期システムアクセスを実行するステップと、第２のサブバンドで継続中の通信のために使用するリソースの割り当てを受信するステップと、第２のサブバンドを用いて継続中の通信を実行するステップとを含む。
例１９．装置は、第１の論理周波数リソースで第１のデータおよび第１のデータに関連する第１の信号伝達情報を送信するように構成される第１の送信機であり、第１の信号伝達情報は第１のデータに関連する初期アクセス情報を含む第１の送信機と、第２の論理周波数リソースで第２のデータに関連する第２の信号伝達情報を送信するように構成される第２の送信機とを備える。
例２０．例１９の装置であって、第１の論理周波数リソースは、論理周波数サブバンドであり、第２の論理周波数リソースは論理周波数サブバンドである。
例２１．例２０の装置であって、第２の送信機は、第２の論理周波数リソースで第２のデータおよび第２のデータに関連する第２の信号伝達情報を送信し、第２の信号伝達情報は第２のデータに関連する初期アクセス情報を含む。
例２２．例１９から例２１のいずれか１つの装置であって、第１の信号伝達情報は、放送、同期、およびＡＣＫ／ＮＡＣＫ信号伝達を含む。
例２３．例１９から例２２のいずれか１つの装置であって、第１の信号伝達情報は、ランダムアクセス信号伝達を含む。
例２４．例２１から例２３のいずれか１つの装置であって、第１の論理周波数リソース上の送信は、第１のマシンタイプの通信（ＭＴＣ）チャネルに対するものであり、第２の論理周波数リソース上の送信は、第２のＭＴＣチャネルに対するものである。
例２５．例１９から例２４のいずれか１つの装置であって、第１の論理周波数リソース上の送信および第２の論理周波数リソース上の送信は送信機により実行される。
例２６．装置は、第１の論理周波数リソースで第１のデータおよび第１のデータに関連する第１の信号伝達情報を送信することにより第１のサービスを提供するように構成される送信機であり、第１の信号伝達情報は第１のデータに関連する初期アクセス情報を含む送信機を備え、送信機はさらに、第２の論理周波数リソースで第２のデータに関連する第２の信号伝達情報を送信するように構成される。
例２７．例２６の装置であって、装置は、第２のサービスに対し、デフォルトのフレーム構造を使用して初期アクセスを提供し、第２のサービスに対して初期アクセスが完了した後で、第２のサービスに関する継続中の通信を第２の論理周波数リソース内に提供するように構成される。
例２８．例２７の装置であって、デフォルトのフレーム構造は、第２の論理周波数リソース内にある。
例２９．例２７の装置であって、デフォルトのフレーム構造は、第２の論理周波数リソース外にある。
例３０．例１９から例２９のいずれか１つの装置であって、装置は、各論理周波数リソースに対して対応するハイパーセル識別子を使用するように構成される
上記の教示に鑑みて、本開示の多数の変更および変形が可能である。したがって、添付の特許請求の範囲内において、本開示は、本明細書に具体的に記載されるものとは別の方法で実施され得ることを理解されたい。
【国際調査報告】
2019506083.tif 000014
2019506083.tif 000015